(57)【要約】  シェービング器具用人間工学的ハンドルは頭部と本体部とを含む。本体部は幅と高さを有し、高さに対する幅の比は、本体部で画定される長手方向において約１．１〜約１．４である。
2006523118.tif 000002
【特許請求の範囲】
【請求項１】
頭部と本体部とを有するハンドルを有し、
前記本体部は幅と高さを画定し、前記高さに対する前記幅の比が、前記本体部により画定された長さに沿って約１．１〜約１．４であるシェービング器具用人間工学的ハンドル。
【請求項２】
前記本体部の前記幅は前記長さに沿って変動し、最小幅に対する最大幅の比が約１．３〜約１．５である請求項１記載のシェービング器具用人間工学的ハンドル。
【請求項３】
前記本体部はその端部に先端部を含み、前記本体部により画定された最大幅が、前記先端部から前記長さの約３７％の地点に位置する請求項１記載のシェービング器具用人間工学的ハンドル。
【請求項４】
前記頭部は端部を画定し、前記本体部は、前記頭部に隣接し、前記端部から約３０ｍｍ〜約５０ｍｍ離れた位置にあるピンチポイントを画定する請求項１記載のシェービング器具用人間工学的ハンドル。
【請求項５】
前記ハンドルは、バランス中心とピンチポイントとを画定し、前記ピンチポイントは前記バランス中心から約１０ｍｍ〜約２５ｍｍ離れた位置にある請求項１記載のシェービング器具用人間工学的ハンドル。
【請求項６】
前記ハンドルは、前記頭部の頂部にフィンガーレストを画定し、ピンチポイントが前記フィンガーレストから約１５ｍｍ〜約３０ｍｍ離れた位置にある請求項１記載のシェービング器具用人間工学的ハンドル。
【請求項７】
頭部と本体部とを有するハンドルを有し、
前記本体部はその長さに沿って変動する幅を画定し、
前記本体部はその端部に先端部を含み、前記本体部により画定された最大幅が、前記ハンドルの全長の約３７％の地点に位置するシェービング器具用人間工学的ハンドル。
【請求項８】
前記本体部は高さを画定し、前記高さに対する前記幅の比が前記長さに沿って約１．１〜約１．４である請求項７記載のシェービング器具用人間工学的ハンドル。
【請求項９】
前記頭部は端部を画定し、前記本体部は、前記頭部に隣接し、前記端部から約３０ｍｍ〜約５０ｍｍ離れた位置にあるピンチポイントを画定する請求項７記載のシェービング器具用人間工学的ハンドル。
【請求項１０】
前記ハンドルは、バランス中心とピンチポイントとを画定し、前記ピンチポイントが前記バランス中心から約１０ｍｍ〜約２５ｍｍ離れた位置にある請求項７記載のシェービング器具用人間工学的ハンドル。
【請求項１１】
前記ハンドルは前記頭部の頂部にフィンガーレストを画定し、ピンチポイントが前記フィンガーレストから約１５ｍｍ〜約３０ｍｍ離れた位置にある請求項７記載のシェービング器具用人間工学的ハンドル。
【請求項１２】
前記本体部の前記幅は前記長さに沿って変動し、最小幅に対する最大幅の比が約１．３〜約１．５である請求項７記載のシェービング器具用人間工学的ハンドル。
【請求項１３】
頭部と本体部とを有するハンドルを有し、
前記本体部はその長さに沿って変動する幅を画定し、
前記頭部は端部を画定し、前記本体部は、前記頭部に隣接し、前記端部から約３０ｍｍ〜約５０ｍｍ離れた位置にあるピンチポイントを画定するシェービング器具用人間工学的ハンドル。
【請求項１４】
前記本体部は高さを画定し、前記高さに対する前記幅の比が前記長さに沿って約１．１〜約１．４である請求項１３記載のシェービング器具。
【請求項１５】
前記本体部はその端部に先端部を含み、前記本体部により画定された最大幅が、前記先端部から前記ハンドルの全長の約３７％の地点に位置する請求項１３記載のシェービング器具用人間工学的ハンドル。
【請求項１６】
前記本体部は高さを画定し、前記高さに対する前記幅の比が前記長さに沿って約１．１〜約１．４である請求項１３記載のシェービング器具用人間工学的ハンドル。
【請求項１７】
前記ハンドルは、バランス中心とピンチポイントとを画定し、前記ピンチポイントが前記バランス中心から約１０ｍｍ〜約２５ｍｍ離れた位置にある請求項１３記載のシェービング器具用人間工学的ハンドル。
【請求項１８】
前記ハンドルは前記頭部の頂部にフィンガーレストを画定し、ピンチポイントが前記フィンガーレストから約１５ｍｍ〜約３０ｍｍ離れた位置にある請求項１３記載のシェービング器具ハンドル。
【請求項１９】
前記本体部の前記幅は前記長さに沿って変動し、最小幅に対する最大幅の比が約１．３〜約１．５である請求項１３記載のシェービング器具用人間工学的ハンドル。
【発明の詳細な説明】
【技術分野】
【０００１】
本発明は、概してシェービング器具に向けられ、特に、人間工学的に有益なパラメータを定めるシェービング器具用人間工学的ハンドルに関する。
【背景技術】
【０００２】
本願は、２００３年３月２８日出願の米国仮出願第６０／４５８，８７８号の利益を享受し、ここで開示された主題を参照によりすべてここに組み込む。
【０００３】
レザーシステムに使用されるレザーハンドルの設計は、そのシステム全体の性能に大きく影響する。長さ、重量、バランス中心、断面形状などのハンドルの属性は、すべてハンドルが保持されたときに持ち得る快適さに寄与する。そのようなハンドルを設計する際の課題は、スタイルと人間工学を組み合わせることにある。
【０００４】
従来のハンドルの設計は、人間工学やスタイルの快適さを犠牲にしがちであった。一方、安価なレザーシステムは、単に直線的なハンドルを用いる傾向があった。これらのハンドルは、種々の手の位置に対応することはできるが、どこの位置でも快適なものではなかった。
【０００５】
これらに基づいて、本発明の概括的な目的は、従来のハンドルに関する問題や欠点を改善し又は改良する人間工学的ハンドルを提供することである。
【発明の開示】
【０００６】
本発明の一つの態様は、ハンドルが頭部と本体部とを有するシェービング器具用人間工学的ハンドルである。ハンドルの本体部は幅と高さを画定し、高さに対する幅の比は、本体部により画定される長さに沿って約１．１〜約１．４である。
【０００７】
本発明の他の態様は、ハンドルが頭部と本体部とを含むシェービング器具用人間工学的ハンドルである。本体部は、その長さに沿って変動する幅を画定し、またその端部に先端部を含む。本体部により画定される最大幅は、長さに沿って先端部からおよそ３７％の地点に位置する。
【０００８】
本発明の他の態様において、頭部は端部を画定し、本体部は頭部に隣接するピンチポイントを画定する。ピンチポイントは、端部から約３０ｍｍ〜約５０ｍｍの位置にある。
【発明を実施するための最良の形態】
【０００９】
図１及び図２に示すように、参照番号１０により概して示されるシェービング器具用人間工学的ハンドルは、表示「ｗ」で示される幅と表示「ｈ」で示される高さとを画定する本体部１２を含む。幅「ｗ」の高さ「ｈ」に対する比は、本体部１２により画定される表示「Ｌ１」で示される長さに沿って、約１．１〜約１．４である。幅「ｗ」は長さＬ１に沿って変動し、最小幅に対する最大幅の比が約１．３〜約１．５の範囲にあることが好ましい。
【００１０】
本体部１２はその端部に先端部１４を含む。本発明の好ましい実施の形態においては、本体部１２により画定される最大幅が、好ましくは、ハンドルの長さＬ２に対して先端部から約３７％である表示「ｗ１」で示される地点に位置する。ハンドル１０は、シェービング操作中に使用者の指の間で把持され得る表示「Ｐ」で示されるピンチポイントを画定する。本発明の好ましい実施の形態においては、ピンチポイント「Ｐ」は、ハンドル１０の頭部１６に隣接し、その頭部の端部１８から約３０ｍｍ〜約５０ｍｍ離れた位置にある。
【００１１】
ハンドル１０はまた、表示「Ｃ」で示されるバランス中心を画定する。ピンチポイント「Ｐ」は、バランス中心から約１０ｍｍ〜約２５ｍｍ離れた位置にある。ハンドル１０の頭部１６は、その頭部の頂部２２に配置されたフィンガーレスト２０を含む。ピンチポイント「Ｐ」は、フィンガーレスト２０から約１５ｍｍ〜約３０ｍｍ離れた位置にある。
【００１２】
本発明はその詳細な実施の形態に関して示され記述されているが、本発明の範囲を逸脱することなしに、種々の変更がなし得て、均等物が構成要素と交換され得ることは、当業者には理解されるであろう。また、変形例は、本発明の本質的な範囲を逸脱することなしに、特定の位置あるいは材料を本発明の教示に適合させるようになし得る。それ故、本発明は上記の詳細な記述において開示された特定の実施の形態によって限定されず、本発明は添付の特許請求の範囲に入る全ての実施の形態を含むことを意図する。
【図面の簡単な説明】
【００１３】
【図１】図１は、本発明の人間工学的ハンドルの実施の形態の平面図である。
【図２】図２は、図１の人間工学的ハンドルの側面図である。
【図１】
2006523118.tif 000003
【図２】
2006523118.tif 000004
【国際調査報告】
2006523118.tif 000005
2006523118.tif 000006
2006523118.tif 000007
2006523118.tif 000008